(57)【要約】      （修正有）【課題】複数の情報ソースをディスプレイ上のグラフィカルユーザインターフェース内に表示する方法を提供する。【解決手段】グラフィカルユーザインターフェース内のグラフィカルユーザインターフェースコンポーネント内に複数の情報ソースのうちの少なくともいくつかを別々に表示するステップと、フォーカスグラフィカルユーザインターフェースを含む、グラフィカルユーザインターフェース内の全てのグラフィカルユーザインターフェース（ＧＵＩ）コンポーネントを表示するステップと、他の表示されたどのＧＵＩコンポーネントよりも大きいサイズでＧＵＩ内に表示されたＧＵＩコンポーネントのうちの１つの複製を表示するステップとを含む方法。【選択図】図１
2014038619.tif 000002
【特許請求の範囲】
【請求項１】
グラフィカルユーザインターフェース（ＧＵＩ）内のＧＵＩコンポーネント内に複数の情報ソースのうちの少なくともいくつかを別々に表示するステップと、
前記ＧＵＩ内に全ての前記ＧＵＩコンポーネントを表示するステップと、
フォーカスＧＵＩコンポーネントを定義するために、他の表示されたどのＧＵＩコンポーネントよりも大きいサイズで前記ＧＵＩ内に表示された前記ＧＵＩコンポーネントのうちの１つの複製を表示するステップとを備える、複数の情報ソースをディスプレイ上のＧＵＩ内に表示する方法。
【請求項２】
前記フォーカスＧＵＩコンポーネントが、前記他の表示されたＧＵＩコンポーネントのいずれも完全に不明瞭にしない、請求項１記載の方法。
【請求項３】
前記フォーカスＧＵＩコンポーネントが、前記他の表示されたＧＵＩコンポーネントのいずれも不明瞭にしない、請求項２記載の方法。
【請求項４】
前記他の表示されたＧＵＩコンポーネントおよび前記フォーカスＧＵＩコンポーネントがタイル構成で配置され、前記フォーカスＧＵＩコンポーネントがより大きいサイズのタイルである、請求項３記載の方法。
【請求項５】
前記他の表示されたＧＵＩコンポーネントが同じサイズのタイルである、請求項４記載の方法。
【請求項６】
前記フォーカスＧＵＩコンポーネントが、前記ＧＵＩ内の所定の位置に配置される、請求項４記載の方法。
【請求項７】
前記フォーカスＧＵＩコンポーネントが前記ＧＵＩ内の中心にある、請求項６記載の方法。
【請求項８】
前記フォーカスＧＵＩコンポーネントが、前記ＧＵＩ内のフォーカス位置に配置される、請求項１記載の方法。
【請求項９】
前記フォーカス位置が前記ＧＵＩの前記中心を備える、請求項８記載の方法。
【請求項１０】
前記他の表示されたＧＵＩコンポーネントが同じサイズである、請求項９記載の方法。
【請求項１１】
前記他の表示されたＧＵＩコンポーネントのうちの別の１つを、ユーザ入力に応じて前記フォーカスＧＵＩコンポーネントとして表示するステップをさらに備える、請求項１記載の方法。
【請求項１２】
前記ＧＵＩ上に複数のＧＵＩコンポーネントを表示するステップであって、前記複数のＧＵＩコンポーネントが、複数の視覚ＧＵＩコンポーネント、および前記複数の視覚ＧＵＩコンポーネントよりも大きい少なくとも１つのフォーカスＧＵＩコンポーネントを含むステップを備え、
前記表示された少なくとも１つのフォーカスＧＵＩコンポーネントが、前記表示された複数の視覚ＧＵＩコンポーネントのうちの１つの複製を含む、グラフィカルユーザインターフェース（ＧＵＩ）上の領域を使用するための方法。
【請求項１３】
前記ＧＵＩコンポーネントのうちの少なくとも１つをサイズ変更するステップをさらに備える、請求項１２記載の方法。
【請求項１４】
前記ＧＵＩコンポーネントのうちの少なくとも１つの前記サイズ変更に基づいて、前記複数のＧＵＩコンポーネントの前記表示を調整するステップをさらに備える、請求項１３記載の方法。
【請求項１５】
前記複数の視覚ＧＵＩコンポーネントのうちの少なくとも１つを介して前記少なくとも１つのフォーカスＧＵＩコンポーネントがサイズ変更されると、前記複数の視覚ＧＵＩコンポーネントのうちの前記少なくとも１つが、全ての前記複数のＧＵＩコンポーネントが見え続けるようにサイズ変更される、請求項１４記載の方法。
【請求項１６】
前記表示された複数のＧＵＩコンポーネントが、複数のフォーカスＧＵＩコンポーネントを含む、請求項１２記載の方法。
【請求項１７】
それぞれの前記複数のフォーカスＧＵＩコンポーネントが、前記複数の視覚ＧＵＩコンポーネントよりも大きい、請求項１６記載の方法。
【請求項１８】
それぞれの前記複数のＧＵＩコンポーネントが継続的に更新される、請求項１２記載の方法。
【請求項１９】
それぞれの前記複数のＧＵＩコンポーネントが、ユーザによって対話されうるユーザ入力を含む、請求項１２記載の方法。
【発明の詳細な説明】
【技術分野】
【０００１】
本発明は、グラフィカルユーザインターフェース上に表示するための方法等に関する。
【背景技術】
【０００２】
マルチモニタシステムが普及したため、ソフトウェア設計者およびユーザは、ソフトウェア要件および／またはユーザの嗜好に対応するために、必要に応じて複数のモニタを追加する能力を当然視することがある。しかし、物理的領域が限られており、さらなるモニタを容易に追加できない組込みの世界では、ディスプレイ上の「スペース（ｒｅａｌ−ｅｓｔａｔｅ）」は依然として貴重であり、この領域を最も効率的に使用することが依然として非常に望ましい。これは、フライトデッキ内のディスプレイ領域が限られている現代の航空機において、特に真実でありうる。
【先行技術文献】
【特許文献】
【０００３】
【特許文献１】米国特許出願公開第２００５／０２５１７５７号明細書
【発明の概要】
【０００４】
一実施形態では、本発明は、複数の情報ソースをディスプレイ上のグラフィカルユーザインターフェース（ＧＵＩ）内に表示する方法であって、ＧＵＩ内のＧＵＩコンポーネント内に複数の情報ソースのうちの少なくともいくつかを別々に表示するステップと、ＧＵＩ内に全てのＧＵＩコンポーネントを表示するステップと、フォーカスＧＵＩコンポーネントを定義するために、他の表示されたどのＧＵＩコンポーネントよりも大きいサイズでＧＵＩ内に表示されたＧＵＩコンポーネントのうちの１つの複製を表示するステップとを含む方法に関する。
【図面の簡単な説明】
【０００５】
【図１】本発明の実施形態による、ＧＵＩ内の複数の情報ソースが表示されうるフライトディスプレイを有する航空機コックピットの一部の透視図である。
【図２】本発明の第１実施形態による、ＧＵＩ内のＧＵＩコンポーネントのディスプレイの実例の概略図である。
【図３】本発明の第２実施形態による、ＧＵＩ内のＧＵＩコンポーネントのうちの１つの選択の実例の概略図である。
【図４】本発明の第３実施形態による、ＧＵＩ内のＧＵＩコンポーネントのディスプレイの実例の概略図である。
【図５Ａ】本発明の第４実施形態による、ＧＵＩ内のＧＵＩコンポーネントのうちの１つのサイズ変更を示す概略図である。
【図５Ｂ】本発明の第４実施形態による、ＧＵＩ内のＧＵＩコンポーネントのうちの１つのサイズ変更を示す概略図である。
【発明を実施するための形態】
【０００６】
図１は、本発明の実施形態を実行しうる航空機１０の一部を示している。ディスプレイのための他の任意の適切な環境が使用されうることが理解されよう。民間航空機が示されているが、本発明の実施形態は、パーソナルコンピュータ、ＰＤＡなどのハンドヘルドデバイス、およびオフィス機器を含む、任意のタイプの適切なディスプレイ環境で使用されうることが企図される。
【０００７】
航空機１０の例示的環境では、コックピット１２は、コックピット１２の左側のシート１４に座っている第１ユーザ（たとえば、操縦士）、およびコックピット１２の右側のシート１６に座っている別のユーザ（たとえば、副操縦士）を含みうる。様々な計器２０および複数の多機能フライトディスプレイ２２を有するコックピット計器パネル１８は、操縦士および副操縦士の前に配置されて、航空機１０の操縦を支援するための情報を運航乗務員に提供しうる。
【０００８】
フライトディスプレイ２２は、プライマリフライトディスプレイまたは多機能ディスプレイのどちらかを含むことができ、航空機１０を操作および制御する際に使用される広範な航空機情報、フライト情報、ナビゲーション情報、および他の情報を表示しうる。フライトディスプレイ２２は、カラーグラフィックおよびテキストをユーザに表示することが可能でよい。フライトディスプレイ２２は、より少数または多数のディスプレイを有する方法を含む任意の方法でレイアウトされてよく、また同一平面上にある必要はなく、同じサイズである必要もない。タッチスクリーンディスプレイまたはタッチスクリーン面２４はフライトディスプレイ２２に含まれてよく、航空機１０のシステムと対話するために操縦士および副操縦士を含む１人または複数の運航乗務員によって使用されうる。１つまたは複数のカーソル制御デバイス２６、および１つまたは複数の多機能キーボード２８はコックピット１２に含まれてよく、また航空機１０のシステムと対話するために１人または複数の運航乗務員によって使用されうることが企図される。
【０００９】
コントローラ３０は、フライトディスプレイ２２、タッチスクリーン面２４、カーソル制御デバイス２６、および多機能キーボード２８を含む航空機１０のコンポーネントに動作可能に結合されうる。また、コントローラ３０は、航空機１０の他のコントローラ（図示せず）に接続されうる。コントローラ３０は、ＧＵＩおよびオペレーティングシステムを実装するために任意の適切なプログラムを実行しうるメモリ３２およびプロセッサ３４を含みうる。これらのプログラムは、一般に、ユーザが、オプションの選択、コマンドおよび他のデータの入力、ファイルの選択および開くこと、ならびにタッチスクリーン面２４の至る所へのアイコンの移動などの、タッチスクリーン面２４上での機能を実行することを可能にするデバイスドライバを含む。メモリ３２は、ランダムアクセスメモリ（ＲＡＭ）、読出し専用メモリ（ＲＯＭ）、フラッシュメモリ、あるいはディスク、ＤＶＤ、ＣＤ−ＲＯＭなどの１つまたは複数の異なるタイプのポータブル電子メモリ、あるいはこれらのタイプのメモリの任意の適切な組合せを含みうる。コントローラ３０は、航空機１０の他のコントローラ（図示せず）にも接続されうる。コンピュータ検索可能情報データベースは、メモリ３２に格納されてプロセッサ３４によってアクセス可能でもよく、または、コントローラ３０は情報データベースに動作可能に結合してもよい。たとえば、このようなデータベースは代替コンピュータまたはコントローラに格納されうる。データベースは、複数のデータセットを有する単一データベース、相互にリンクされた複数の個別データベース、またはデータの単純な表さえも含む、任意の適切なデータベースでよいことが理解されよう。コントローラ３０はまた、外部メモリ、無線通信リンクなどの通信リンク、およびさらなるコントローラまたはプロセッサを含む様々なソースから情報を受信しうる。
【００１０】
動作中、コントローラ３０は操縦士、データベース、および／または様々な他のソースからの入力を利用して、航空機１０のフライトディスプレイ２２上のＧＵＩ内に複数の情報ソースを表示しうる。ここで図２を参照すると、ＧＵＩ４０内の複数の情報ソースのディスプレイを示す第１実施形態が示されている。ＧＵＩ４０は、フライトディスプレイ２２の全体、またはフライトディスプレイ２２の一部の上に実装されうる。
【００１１】
複数の情報ソースは、フライトディスプレイ２２上のＧＵＩ４０内の複数のＧＵＩコンポーネント４２内に別々に表示されうる。ＧＵＩ４０は、フライトディスプレイ２２の全体を覆うように示されているが、これはそうである必要はない。参照を容易にし、明確化するために、複数の情報ソースには１、２、３、４、５、および６のラベルが付けられている。このような複数の情報ソースは任意の適切な情報ソースでよく、それぞれの複数のＧＵＩコンポーネント４２の上に常に何の情報ソースが表示されるかは、コントローラ３０によって変更および制御されうることが理解されよう。操作中、それぞれの複数のＧＵＩコンポーネント４２は、コントローラ３０によって継続的に更新され、それぞれの情報ソースおよびそれぞれの複数のＧＵＩコンポーネント４２は、ユーザによって対話されうるユーザ入力を含みうる。このように、ユーザは、フライトディスプレイ２２上で様々なシステム、情報ソースなどと対話しうる。
【００１２】
全ての複数のＧＵＩコンポーネント４２は、フライトディスプレイ２２上のＧＵＩ４０内に表示されうる。図示された例では、ＧＵＩ４０は、６つの情報ソースを示す複数のＧＵＩコンポーネント４２を有する。これは例示目的に過ぎず、ＧＵＩ４０は、任意の数の情報ソースを示す任意の適切な数の複数のＧＵＩコンポーネント４２を有することができることが理解されよう。さらに、コントローラ３０は、複数のＧＵＩコンポーネント４２の何番目を表示するべきかに関してユーザから入力を受信可能でよい。最初に表示する際に、複数のＧＵＩコンポーネント４２はデフォルトのサイズおよび配置で表示されうる。複数のＧＵＩコンポーネント４２は、複数の視覚コンポーネント４４および１つまたは複数のフォーカスＧＵＩコンポーネント５０を含むものとして考えられうる。たとえば、複数のＧＵＩコンポーネント４２の複数の視覚コンポーネント４４は、フライトディスプレイ２２の周囲の左端および右端に表示されており、それらはより小さいサイズである。さらに、フォーカスＧＵＩコンポーネント５０も表示される。フォーカスＧＵＩコンポーネント５０は、他の複数のＧＵＩコンポーネント４２のうちの１つの複製であり、他の表示されたどの複数のＧＵＩコンポーネント４２よりも大きいサイズでＧＵＩ４０内に表示される。本明細書で使用される複製という用語は、フォーカスＧＵＩコンポーネント５０が同じ情報ソースを含むことを意味し、したがってフォーカスＧＵＩコンポーネント５０を含む複数のＧＵＩコンポーネント４２のうちの２つは３番目の情報ソースのラベルを付けられている。ユーザは、フォーカスＧＵＩコンポーネント５０と同じ情報ソースを有する複数の視覚コンポーネント４４のうちの対応する１つ、の両方または一方と等しく対話しうる。
【００１３】
たとえば、情報ソースがビデオ信号である場合、フォーカスＧＵＩコンポーネント５０は、対応するＧＵＩコンポーネント４２と同じビデオ信号を表示することになる。ＧＵＩコンポーネント４２とフォーカスＧＵＩコンポーネント５０の両方について同じ方法で同じ情報ソースが表示されることが企図されるが、同じ情報ソースが異なるように表示されることは本発明の範囲内である。たとえば、フォーカスＧＵＩコンポーネント５０に表示されるビデオ信号は、対応するＧＵＩコンポーネント４２内に表示されるビデオ信号とは異なるようにトリミングされてよい。
【００１４】
フォーカスＧＵＩコンポーネント５０は、ユーザがフォーカスしそうな複数のＧＵＩコンポーネント４２のうちの１つと考えられうるが、フォーカスＧＵＩコンポーネント５０は、他の表示された複数のＧＵＩコンポーネント４２のうちのいずれも完全に不明瞭にせず、表示された複数のＧＵＩコンポーネント４２のいずれか、ならびにフォーカスＧＵＩコンポーネント５０はいつでも使用されうることが理解されよう。図示された例では、フォーカスＧＵＩコンポーネント５０は、他の表示された複数のＧＵＩコンポーネント４２のいずれも不明瞭にしないが、これはそうである必要はなく、フォーカスＧＵＩコンポーネント５０は、他の表示された複数のＧＵＩコンポーネント４２のうちの１つまたは複数を少なくとも部分的に不明瞭にする場合がある。
【００１５】
図示された例では、他の表示された複数のＧＵＩコンポーネント４２およびフォーカスＧＵＩコンポーネント５０はタイル構成で配置されている。このようなタイル構成は、表示された複数のＧＵＩコンポーネント４２のうちのいずれか、ならびにフォーカスＧＵＩコンポーネント５０と対話するユーザの能力を助ける。フォーカスＧＵＩコンポーネント５０は、ユーザが使いやすいように、他の表示された複数のＧＵＩコンポーネント４２よりも大きいサイズのタイルで表示される。複数の視覚コンポーネント４４は同じサイズのタイルとして示されているが、これはそうである必要はない。
【００１６】
フォーカスＧＵＩコンポーネント５０は、ＧＵＩ４０内の所定の位置に配置されうる。たとえば、フォーカスＧＵＩコンポーネント５０はＧＵＩ４０内の中心にあってよい。これは、フォーカスＧＵＩコンポーネント５０がＧＵＩ４０内のフォーカス位置に配置されることも含みうる。フライトディスプレイ２２が、ユーザの右にあるなど、ユーザの位置からオフセットされている場合、このようなフォーカス位置はＧＵＩ４０の左側にあってよい。
【００１７】
他の表示された複数のＧＵＩコンポーネント４２のうちの別の１つは、ユーザ入力に応じてフォーカスＧＵＩコンポーネント５０として表示されてよいことが企図される。図３は、本発明の第２実施形態による、ＧＵＩ４０内の複数のＧＵＩコンポーネント４２のうちの別の１つの選択の実例の概略図である。図示された例では、それぞれのＧＵＩコンポーネントはセレクタ５２を含み、ユーザによって選択されると、自動的にそのＧＵＩコンポーネント４２をフォーカスＧＵＩコンポーネント５０にする。セレクタ５２は、セレクタ５２の目的を定義または表示するための、任意の適切な特徴を含みうる。あるいは、セレクタ５２は、複数のＧＵＩコンポーネント４２の一部と相関し、特徴は含まれない場合がある。たとえば、ユーザは、フォーカスＧＵＩコンポーネント５０として表示されるよう選択するために、複数のＧＵＩコンポーネント４２のうちの１つの右上角などの、複数のＧＵＩコンポーネント４２のうちの１つの特定のスポットを選択しうる。非限定的な例として、フォーカスＧＵＩコンポーネント５０として表示されるべき複数の視覚コンポーネント４４のうちの１つの選択は、カーソル制御デバイス２６のうちの１つ、および／または多機能キーボード２８のうちの１つを使用して実現されうる。あるいは、セレクタ５２がタッチスクリーン面２４に含まれてよく、フォーカスＧＵＩコンポーネント５０として表示されるべき複数のＧＵＩコンポーネント４２のうちの１つの選択が、図３に示されるようにタッチスクリーンとの対話を通じて実現されうることが企図される。より具体的には、ユーザは、フォーカスＧＵＩコンポーネント５０上に表示されるように４番目の情報ソースを選択したことが示されている。
【００１８】
さらに別の代替案として、セレクタはＧＵＩ４０内に含まれず、多機能キーボード２８のうちの１つにあるボタンによって、ユーザは、フォーカスＧＵＩコンポーネント５０として表示されるべき複数のＧＵＩコンポーネント４２のうちの１つを選択しうる。さらに、コントローラ３０によって、ユーザがフォーカスＧＵＩコンポーネント５０として表示することを所望しているのは複数のＧＵＩコンポーネント４２のうちのどれかに関する音声コマンドが受信されうる。また、フォーカスＧＵＩコンポーネント５０が、複数のＧＵＩコンポーネント４２内で発生するイベントに基づいて選択されうることが企図される。このように、コントローラ３０は、特定のイベントが発生すると、複数のＧＵＩコンポーネント４２のうちの１つをフォーカスＧＵＩコンポーネント５０として自動的に表示しうる。このように、コントローラ３０は、以前指定された基準に基づいて、フォーカスＧＵＩコンポーネント５０として表示されるべき複数のＧＵＩコンポーネント４２のうちの１つを自動的に拡大することによって、イベントをユーザに通知しうる。
【００１９】
図４は、本発明の第３実施形態による、ＧＵＩ４０内のＧＵＩコンポーネントのディスプレイの実例の概略図である。より具体的には、複数のＧＵＩコンポーネント４２のディスプレイは、複数のフォーカスＧＵＩコンポーネント５０のディスプレイを含む。図示された例では、フォーカスＧＵＩコンポーネント５０は、複数の視覚コンポーネント４４のうちの２つにやはり表示されている１番目および３番目の情報ソースの複製である。それぞれの複数のフォーカスＧＵＩコンポーネント５０は同じサイズであり、ＧＵＩ４０内の中央にあるが、これはそうである必要はない。フォーカスＧＵＩコンポーネント５０は、任意の適切な方法でサイズ決定および配置されうる。
【００２０】
図５Ａに示されるように、複数のＧＵＩコンポーネント４２のうちの少なくとも１つがサイズ変更されうる。これは、複数の視覚コンポーネント４４および／またはフォーカスＧＵＩコンポーネント５０がサイズ変更されうることを含みうる。ＧＵＩコンポーネントのサイズ変更に基づいて、任意の数の他のＧＵＩコンポーネントのディスプレイが調整されうる。図示された例では、カーソル制御デバイス２６のうちの１つによって制御されるマウス６０を用いてフォーカスＧＵＩコンポーネント５０がサイズ変更されている。フォーカスＧＵＩコンポーネント５０は、多機能キーボード２８またはタッチスクリーン面２４のうちの１つの使用を含む任意の適切な方法でサイズ変更されうることが企図される。
【００２１】
例示目的のために、フォーカスＧＵＩコンポーネント５０は、複数の視覚コンポーネント４４のうちの少なくとも１つを介してユーザによってサイズ変更されたものとして示されている。このような例では、複数の視覚コンポーネント４４は、複数の視覚コンポーネント４４の全てが見え続けるようにサイズ変更されうる。たとえば、図５Ｂに示されるように、複数の視覚コンポーネント４４は、それらがＧＵＩ４０の下端に見え続け、完全に不明瞭ではないように再配置およびサイズ変更される。
【００２２】
上述の実施形態は、フライトディスプレイがより効率的に使用されうることを含む、様々な利点を提供する。本発明の実施形態の技術的効果は、様々なＧＵＩコンポーネントを通じてユーザが複数のデータを認識することができ、表示された全てのＧＵＩコンポーネントを使用してマルチタスキングできることである。ダイアログボックス、タブ付きウインドウ、およびブレッドクラム付きのＧＵＩを進めるためのボタンを利用する従来のディスプレイとは異なり、上述の実施形態は、サイズまたは位置に関わらず全ての複数のＧＵＩコンポーネントが継続的に更新されることを可能にする。さらに、ユーザは、サイズまたは位置に関わらず任意のＧＵＩコンポーネントといつでも対話できる。
【００２３】
本明細書では、例を使用して、最良の形態を含めた本発明を開示し、かつ全ての当業者が、任意のデバイスまたはシステムの製造および使用、ならびに任意の組み込まれた方法の実行を含めた本発明の実施ができるようにもしている。本発明の特許性のある範囲は、特許請求の範囲によって定義されており、当業者が想到する他の例を含んでもよい。このような他の例は、それらが請求項の文言と異ならない構成要素を有する場合、あるいは、それらが請求項の文言と実質的な差異のない等価な構成要素を含む場合、特許請求の範囲内にあると意図される。
【符号の説明】
【００２４】
１０  航空機
１２  コックピット
１４  シート
１６  シート
１８  計器パネル
２０  計器
２２  フライトディスプレイ
２４  タッチスクリーン面
２６  カーソル制御デバイス
２８  多機能キーボード
３０  コントローラ
３２  メモリ
３４  プロセッサ
４０  ＧＵＩ
４２  複数のＧＵＩコンポーネント
４４  複数の視覚コンポーネント
５０  フォーカスＧＵＩコンポーネント
５２  セレクタ
６０  マウス
【図１】
2014038619.tif 000003
【図２】
2014038619.tif 000004
【図３】
2014038619.tif 000005
【図４】
2014038619.tif 000006
【図５Ａ】
2014038619.tif 000007
【図５Ｂ】
2014038619.tif 000008